(57)【要約】      （修正有）【課題】見開き状態の図書や冊子類の、頁捲りを自動的に行う頁捲り機を提供する。【解決手段】台板１上の見開き状図書２の外位の支持金３４に、昇降自在に支持したモーター３の竪軸に半円欠成板５を軸着し、同欠成板は、円弧側の中央に欠成したＶ型の切欠の両側に弧状縁を形設してモーターとの自重により頁面に当接しつつ回動操作可能となし、天余白コーナー両側に配設した紙片摺動具４の出力端に被着したゴムキャップ４３を、捲り対象紙面上へ当接して摺動操作し、同紙面に褶曲面を形成して下層紙面より分離し、半円欠成板の弧状縁を同褶曲面内へ介挿して捲り先へ押進し、反転ないし伸展して頁捲り可能としている。【選択図】図１
0003158410.tif 000002
【実用新案登録請求の範囲】
【請求項１】
台板（１）上に載置する見開き状図書（２）の綴目（２４）外位に立設した案内枠（３２）に、Γ型折曲状の支持金（３４）の竪面を昇降自在に遊挿し、横面に垂設したモーター（３）の出力側の竪軸（３１）に、半円欠成板（５）の弦側中心位を軸着し円弧側に欠成したＶ型の切欠（５２）の両側１対の弧状縁（５１，５１）を、モーターとの自重により、見開き頁面の天（２１）余白上に当接しつつ往復回動可能となし、また、天余白の右左コーナー両側に１対の紙片摺動具（４，４）を配設し、該摺動具の往復動出力端に被着したゴムキャップ（４３，４３）を、対象紙面へ当接し、小口側より天余白上へ押進摺動操作可能としてなり、頁捲りに際し、半円欠成板（５）の弧状縁（５１）の先行側が天余白上に在り後続側が天余白外に在るとき、予め、手動操作により、頁捲り対象紙片上において、同ゴムキャップを押進摺動行程の中途まで小刻みに反復操作し、同紙片の天側に褶曲面（２５）を形成して下層紙面上に１枚分離状態となした上で、同行程の終端まで操作して同褶曲面の形成を補完すると共に、半円欠成板（５）を回動して後続側の弧状縁（５１）の欠切端（５３）を同褶曲面（２５）内へ介挿して捲り先へ押進しつつ、同紙片を反転ないし伸展して頁捲り動作を可能とすることを特徴とする頁捲り機。
【請求項２】
前記半円欠成板（５）は、平滑な周縁を形成し、半円状の弦中央部に持着したボス（５４）をモーター（３）の竪軸（３１）に軸着してなり、同欠成板を見開き状頁面へ平滑状に当接し、捲り対象紙片を円滑に操作して捲り動作を可能とすることを特徴とする請求項１記載の頁捲り機。
【請求項３】
前記半円欠成板（５）は、平滑な小径の線材により、可撓性の周縁を曲成し、半円状の弦中央部に持着したボス（５４）をモーター（３）の竪軸（３１）に軸着してなり、可撓性の周縁を、見開き状頁面に均等状に当接し、捲り対象紙片を円滑に操作可能とすることを特徴とする請求項１記載の頁捲り機。
【請求項４】
前記紙片摺動具（４）は、右左頁両側の小口（２３，２３）に沿い１対の操作軸（４４，４４）を軸支し、天（２１）余白のコーナー外側に、右曲肘（４１）及び左曲肘（４２）を持着して往復揺動可能となし、各曲肘出力端部にゴムキャップ（４３，４３）を被着し、同操作軸の地（２２）側端部に持着した操作桿（４６，４６）の揺動操作により、同ゴムキャップを小口側より天余白上へ当接して押進摺動可能とし、同操作桿の揺動操作行程終端位に、モーター（３）ないし半円欠成板（５）を起動・停止可能とするリミットスイッチ（４７，４７）を配設し、同スイッチと並列に、押ボタンスイッチ（４８，４８）を接続して、それぞれ、モーターないし同半円欠成板を任意回動方向へ選択的に操作可能としてなる請求項１記載の頁捲り機。
【請求項５】
請求項１記載の頁捲り機において、さらに、右左頁の小口（２３，２３）両外側に１対の頁抑具（６，６）を配設し、該頁抑具のアクチュエーター（６１，６１）の往復動出力端部に付設した抑金（６２，６２）により、同小口の余白部を押圧及び開放操作可能としてなり、半円欠成板による捲り対象紙片操作過程において、対象紙片を解放するには同抑金による小口余白部の押圧を開放し、また、半円欠成板の紙片操作停止中は、同抑金を作動して小口余白部を押圧し、頁面を保持することを特徴とする頁捲り機。
【考案の詳細な説明】
【技術分野】
【０００１】  本考案は、見開き状態の図書や冊子類の、頁捲りを自動的に行う頁捲り機に関する。
【背景技術】
【０００２】  公知の頁捲り手段の一例として、頁捲り対象紙面を、天余白コーナー外側に配設したソレノイド出力端に被着したゴム刷子により、天余白部綴目側へ押進し、同紙面に褶曲面を形成して下層紙面より分離可能とし、天余白上に当接して回動可能とする二叉のフォークの、先行側フォークを同天余白部に当接しつつ、後続側フォークを上記褶曲面内へ介挿し、同紙面を捲り先へ摺動し、反転ないし伸展して頁捲り操作可能とする頁捲り機が公開されている（特許文献１参照。）。【０００３】
【特許文献１】実用新案登録第３１４９７９３号（Ｕ３１４９７９３）
【考案の開示】
【考案が解決しようとする課題】
【０００４】  特許文献１の頁捲り手段は、天余白コーナー外側に配設したソレノイド出力端のゴム刷子により、天余白部綴目側へ押進し、同紙面に褶曲面を形成して下層紙面より分離するが、対象紙片の撓み弾性特性によっては、１枚分離状態が得られない場合があり、また、モーターの竪軸に持着したヒンジにスイングアームを枢支して自由端部に、二叉のフォークを形設し、バネにより付勢して同フォークを頁面天余白に当接するが、フォークは頁面に対し、線接触状態であって、傾斜して当接する虞があり、さらに、対象紙片が撓み弾性に乏しく挫屈し易い特性のとき、紙片捲り作用が不確実になることが懸念される。【０００５】  本考案は、特許文献１の頁捲り手段における、見開き状図書の捲り対象紙片分離及び反転動作ならびに自動運転を行う制御手段に関する諸問題を解決するため、捲り対象紙片上へ当接し、摺動操作する紙片摺動具を、予め、摺動行程中途まで小刻みに操作し、下層紙面上に褶曲面を形成して一枚分離状態となした上で、同摺動行程終端まで操作して同褶曲面形成を補完し、対象紙面に当接し回動操作可能な半円欠成板の弧状縁を同褶曲面内へ介挿して捲り先へ押進し、反転ないし伸展して頁捲りを可能とする頁捲り機を提供することを目的としている。
【課題を解決するための手段】
【０００６】  台板上に載置する見開き状図書の綴目外位に立設した案内枠に、Γ型折曲状の支持金の竪面を昇降自在に遊挿し、横面に垂設したモーターの出力側の竪軸に、半円欠成板の弦側中心位を軸着し円弧側に欠成したＶ型の切欠の両側１対の弧状縁を、モーターとの自重により、見開き頁面の天余白上に当接しつつ往復回動可能となし、また、天余白の右左コーナー両側に１対の紙片摺動具を配設し、該摺動具の往復動出力端に被着したゴムキャップを、対象紙面へ当接し、小口側より天余白上へ押進摺動操作可能としてなり、頁捲りに際し、半円欠成板の弧状縁の先行側が天余白上に在り後続側が天余白外に在るとき、予め、手動操作により、頁捲り対象紙片上において、同ゴムキャップを押進摺動行程の中途まで小刻みに反復操作し、同紙片の天側に褶曲面を形成して下層紙面上に１枚分離状態となした上で、同行程の終端まで操作して同褶曲面の形成を補完すると共に、半円欠成板を回動して後続側の弧状縁の欠切端を同褶曲面内へ介挿して捲り先へ押進しつつ、同紙片を反転ないし伸展して頁捲り動作を可能としている。【０００７】  前記半円欠成板は、平滑な周縁を形成し、半円状の弦中央部に持着したボスを竪軸に軸着してなり、同欠成板を見開き状頁面へ平滑状に当接し、捲り対象紙片を円滑に操作して頁捲り動作を可能としている。【０００８】  また、半円欠成板は、平滑な小径の線材により可撓性の周縁を曲成し、半円状の弦中央部に持着したボスをモーターの竪軸に軸着してなり、周縁を綴目両側の頁面に、均等状に当接することとしてもよい。【０００９】  前記紙片摺動具は、右左頁両側の小口に沿い、１対の操作軸を軸支し、天余白のコーナー外側に、右曲肘及び左曲肘を持着して往復揺動可能となし、各曲肘出力端部にゴムキャップを被着し、同操作軸の地側端部に持着した操作桿の揺動操作により、同ゴムキャップを小口側より天余白上へ当接して押進摺動可能とし、同操作桿の揺動操作行程終端位に、モーターないし半円欠成板を起動・停止可能とするリミットスイッチを配設し、また、同スイッチと並列に、押ボタンスイッチを接続して、それぞれ、モーターないし半円欠成板を任意回動方向へ選択的に操作可能としている。【００１０】  上述の手段において、さらに、右左頁の小口両外側に１対の頁抑具のアクチュエーターを配設し、往復動出力端部に付設した抑金により、同小口の余白部を押圧及び開放操作可能としてなり、半円欠成板の作動に応動する捲り対象紙片を解放するとき、同抑金による小口余白部の押圧を開放し、また、半円欠成板の停止中は、同抑金を押圧位へ作動して頁面を保持することとしている。
【考案の効果】
【００１１】  頁捲りを開始するとき、左右の押ボタンスイッチにより、頁捲り用半円欠成板を任意方向へ回動操作して容易に頁捲り始点位置へ誘導して待機することができる。【００１２】  頁捲り用の半円欠成板は、モーターとの自重により昇降自在であって、捲り対象頁面に対し、平行面を維持して当接しており、天余白のコーナー外側に配設した紙片摺動具の複動出力端に被着したゴムキャップを、手動操作により、捲り対象紙面の小口側より天余白側へ、押進摺動するとき、ゴムキャップと対象頁面の摩擦力は、対象頁面と下層紙面との摩擦力より大きいため、対象頁面は、下層紙面上を摺動し、撓み応力を生じて下層紙面上に、開口状の褶曲面を形成して分離することができる。【００１３】  対象紙片の分離特性に劣る図書に対しては、予め小口の層状紙葉を指先で捌き、各紙葉の分離状態を確保し、また、手動により、紙片摺動具のゴムキャップを、操作行程中途まで小刻みに反復押進摺動して捲り対象紙片の１枚分離状態を確認することができる。【００１４】  上記捲り対象紙片の１枚分離状態を確認した上で、頁抑具による対象紙片の押圧を開放し、さらに、手動により、紙片摺動具の操作行程終端まで操作し、前記褶曲面の形成を補完すると共に、リミットスイッチを作動し、モーターないし半円欠成板を起動して回動するとき、同欠成板の先行側の弧状縁は天余白に当接し、後続側の弧状縁は上記褶曲面内へ介挿されて同曲面を拡幅し、漸次、捲り先側へ反転ないし伸展して頁捲り動作を行い、新たな見開き頁面を頁抑具により押圧保持して繙読に供することができる。【００１５】  本考案の頁捲り機は、簡易な構成であって、頁捲り行程一連の動作を、半自動的に遂行する制御手段として、シーケンス制御を適用することができる。
【考案を実施するための最良の形態】
【００１６】    以下、本考案考案の実施するための形態を図面に基づいて説明する。
【実施例】
【００１７】  図１ないし図２おいて、台板（１）上に載置する見開き状図書（２）の綴目（２４）外位に立設した案内枠（３２）に、Γ（ガンマ）型折曲状の支持金（３４）の竪面を昇降自在に遊挿し、横面に垂設したモーター（３）の出力側の竪軸（３１）に、半円欠成板（５）の弦側中心位を軸着し円弧側に欠成したＶ型の切欠（５２）の両側１対の弧状縁（５１，５１）を、モーターとの自重により、見開き頁面の天（２１）余白上に当接しつつ往復回動可能となし、また、天余白の右左コーナー両側に１対の紙片摺動具（４，４）を配設し、該摺動具の往復動出力端に被着したゴムキャップ（４３，４３）を、対象紙面へ当接し、小口側より天余白上へ押進摺動操作可能としてなり、頁捲りに際し、半円欠成板（５）の弧状縁（５１）の先行側が天余白上に在り後続側が天余白外に在るとき、予め、手動操作により、頁捲り対象紙片上において、同ゴムキャップを押進摺動行程の中途まで小刻みに反復操作し、同紙片の天側に褶曲面（２５）を形成して下層紙面上に１枚分離状態となした上で、同行程の終端まで操作して同褶曲面の形成を補完すると共に、半円欠成板（５）を回動して後続側の弧状縁（５１）の欠切端（５３）を同褶曲面（２５）内へ介挿して捲り先へ押進しつつ、同紙片を反転ないし伸展して頁捲り動作を可能としている。【００１８】  図３の斜視図は、上記案内枠（３２）側部の案内溝（３３）に、Γ型に曲成した支持金（３４）の竪面を遊挿し、横面に垂設したモーター（３）出力側の竪軸（３１）に上記半円欠成板（５）の中心位を軸着し、モーターと共に昇降自在とし、見開き状頁面に対し、平行面を維持しつつ自重により、同頁面に当接して往復回動可能としている。【００１９】  図４は、図３のＡ−Ａにおける断面図であって、前記半円欠成板（５）は、図４に示すように、平滑な面取り周縁を形成し、半円状の弦中央部に持着したボス（５４）を竪軸（３１）に軸着してなり、見開き状頁面へ平滑状に当接し、捲り対象紙片を円滑に操作して捲り動作を可能としており、材質は、対象紙片との摩擦係数が小さく、繙読の妨げを避けるため、透明板とすることが望ましい。【００２０】  また、半円欠成板（５）他の実施例として、図５に示すように、小径の線材により可撓性の周縁を曲成し、半円状の弦中央部に持着したボス（５４）をモーターの竪軸（３１）に軸着してなり、線状周縁により繙読の妨げを避けると共に、可撓性の周縁の頁面への局部的当接を避け、均等状に当圧して捲り対象紙片の操作を確実に行うこととしている。【００２１】  図６の斜視図は、上記天余白の右コーナー部外側に配設する上記紙片摺動具（４）を示し、右頁の小口（２３）に沿い操作軸（４４）を軸受（４５，４５）に軸支し、天（２１）余白のコーナー外側に、右曲肘（４１）を持着して往復揺動可能となし、同曲肘出力端部にゴムキャップ（４３）を被着し、同操作軸の地（２２）側端部に持着した操作桿（４６）の揺動操作により、同ゴムキャップを小口側より天余白上へ当接して押進摺動可能とし、同操作桿の揺動操作行程終端位に、モーター（３）ないし半円欠成板（５）を起動・停止可能とするリミットスイッチ（４７）を配設し、同スイッチと並列に、押ボタンスイッチ（４８）を���続して、それぞれ、モーターないし半円欠成板を任意回動方向へ選択的に操作可能としている。  なお、左側に配設する紙片摺動具は、上記右側に配設する紙片摺動具（図６）に対して左右逆勝手の構成であるため、記載を省く。【００２２】  図７の斜視図においては、さらに、右左頁の小口（２３，２３）両外側に１対の頁抑具（６，６）を配設し、該頁抑具のアクチュエーター（６１，６１）の往復動出力端部に付設した抑金（６２，６２）により、同小口の余白部を押圧及び開放操作可能としてなり、半円欠成板による捲り対象紙片操作過程において、対象紙片を解放するには同抑金による小口余白部の押圧を開放し、また、半円欠成板の紙片操作停止中は、同抑金を作動して小口余白部を押圧し、頁面を保持することとしている。  なお、上記アクチュエーターは、複動出力型の電磁作動手段として、直進形のソレノイド又は、小型電動アクチュエーターを適用してもよい。【００２３】  本考案頁捲り機を使用する前に、予め、台板（１）上に、見開き状図書（２）を載置するとき、綴目（２４）を、モーター（３）ないし半円欠成板（５）の軸支位方向へ向け、切欠（５２）の回動範囲内に天位置を設定し、図書の表紙、見返し、遊び紙、及び、とびら部などを押圧して定置するための押圧・保持手段が必要であるが、記載を省く。【００２４】  なお、本考案頁捲り機の意匠として、台板（１）外囲及び、モーター（３）、半円欠成板（５）の軸支部付近ないし頁抑具（６）のアクチュエーター（６１）周辺部分を覆うカバー（図示を省く）を被装し、異物との接触を避け、安全な状態で使用可能とし、また携行可能とすることが望ましい。【００２５】  上記実施形態による作用として、頁捲り行程における、半円欠成板（５）の始点位置は、図１及び図８に示すように、先行側の弧状縁（５１）が、綴目（２４）上の天（２１）余白上に当接し、後続側の弧状縁（５１）及び欠切端（５３）が、天（２１）外側に待機している状態であって、同半円欠成板が始点位置にないときは、左右の押ボタンスイッチ（４８）を操作してモーター及び半円欠成板を任意回動方向へ切替え操作し、選択した半円欠成板（５）の始点位置において停止して待機する。【００２６】  図８は右頁捲り行程▲１▼〜▲５▼における各平面図を示す模式図であって、▲１▼は、半円欠成板（５）が上記始点位置に待機している状態を示し、右左の紙片摺動具（４）のゴムキャップ（４３）は開放位に、右左の頁抑具（６）の抑金（６２）は小口余白を押圧して頁面を保持し、繙読に供する状態を示し、▲２▼において、予め、右頁側の紙片摺動具（４）の操作桿（４６）を、手動により操作行程中途まで小刻みに数回反復操作し、右曲肘（４１）のゴムキャップ（４３）を小口側より天余白側へ当接して押進摺動し、捲り対象紙片に褶曲面（２５）を形成して下層紙面より分離し、対象紙片の１枚分離を確認した上で、直ちに、操作桿を操作行程終端位まで操作し、褶曲面（２５）の形成を補完すると共に、リミットスイッチ（４７）により、モーター（３）及び半円欠成板（５）を時計回り（ｃｗ）に回動し、同欠成板の先行側の弧状縁（５１）は、綴目（２４）上位の捲り先天余白に当接し、後続側の弧状縁（５１）は、欠切端（５��）より下層紙面上の褶曲面（２５）内へ介挿し、▲３▼において、捲り元側の頁抑具（６）は、抑金（６２）の小口余白押圧を開放して対象紙片の応動を開放し、先行側の弧状縁（５１）は、捲り先の天余白上を通過しつつ、後続側の弧状縁（５１）は、褶曲面（２５）への介挿を続行して同曲面を綴目側へ拡幅し、▲４▼において、捲り先側の頁抑具（６）は、抑金（６２）の小口余白押圧を開放し、捲り元頁側の頁抑具（６）は、抑金（６２）の小口余白を押圧して保持し、先行側の弧状縁（５１）は、捲り先の天（２１）を通過し、後続側の弧状縁（５１）は綴目上に在って、対象紙片の褶曲面（２５）を捲り先へ拡幅して開放しつつ反転し、▲５▼において、後続側の弧状縁（５１）は綴目上の天余白へ当接しつつ捲り先へ対象紙片を伸展し、捲り先頁抑具（６）の抑金（６２）は、伸展した対象紙片の小口余白を押圧して保持し、先行側の弧状縁（５１）は、捲り先天（２１）外側の終点位置において停止し、右頁捲り動作の一連の行程を終了する。  さらに、右頁捲りを続行するときは、左押ボタン（４８）を押して半円欠成板（５）を反時計回り（ｃｃｗ）に回動し、▲１▼の始点位置へ復帰し、上記の行程を反復する。【００２７】  また、左頁捲り行程は、左右の押ボタンスイッチ（４８）を操作してモーター及び半円欠成板を反時計回り（ｃｃｗ）又は時計回り（ｃｗ）へ回動し、左頁捲り過程の始点位置において停止して待機し、上記右頁捲り行程▲１▼〜▲５▼に対して、左右逆勝手の行程を行うこととなるので説明を省く。【００２８】  図９は、上記図８における行程のフローチャートを示し、制御手段は、図示を省くが、シ−ケンス制御を適用し、各符号▲１▼〜▲５▼は右頁から左頁へ捲る右頁捲りの過程であって、それぞれ、図８における過程と同一である。  逆に、左頁捲りの過程は、図９における符号（ｉ）〜（ｖ）に示す通り、上記右頁捲りの過程に対して左右逆勝手の過程となるので記述を省く。
【産業上の利用可能性】
【００２９】  手元操作と上記の制御手段とにより、通常の読書に供するほか、リモート・コントロールによる遠隔操作手段を併用するとき、文献参照を含むデスクワーク、スピ−チ、講義、学習及び演奏用譜面台並びに介護用書見台などに広く適用することができる。
【図面の簡単な説明】
【００３０】
【図１】本考案頁捲り機の平面図
【図２】図１の立面図
【図３】モーター及び半円欠成板部分構成の外観を示す斜視図
【図４】図３のＡ−Ａにおける半円欠成板の断面図
【図５】周縁を線材で形成した半円欠成板の斜視図
【図６】紙片摺動具の外観を示す斜視図
【図７】頁抑具の外観を示す斜視図
【図８】本考案頁捲り機の、右頁捲り行程▲１▼〜▲５▼における各平面図を示す模式図
【図９】本考案頁捲り機の、頁捲り行程の制御を行うためのフローチャート
【符号の説明】
【００３１】１    台板
２    図書
２１  天
２２  地
２３  小口
２４  綴目
２５  褶曲面
３    モーター
３１  竪軸
３２  案内枠
３３  案内溝
３４  支持金
４    紙片摺動具
４１  右曲肘（天余白右コーナー側の）
４２  左曲肘（天余白左コーナー側の）
４３  ゴムキャップ
４４  操作軸
４５  軸受
４６  操作桿
４７  リミットスイッチ
４８  押ボタンスイッチ
５    半円欠成板
５１  弧状縁
５２  切欠
５３  欠切端
６    頁抑具
６１  アクチュエーター
６２  抑金
ｃｗ  時計回り（半円欠成板回動の）
ｃｃｗ  反時計回り（半円欠成板回動の）
【図１】
0003158410.tif 000003
【図２】
0003158410.tif 000004
【図３】
0003158410.tif 000005
【図４】
0003158410.tif 000006
【図５】
0003158410.tif 000007
【図６】
0003158410.tif 000008
【図７】
0003158410.tif 000009
【図８】
0003158410.tif 000010
【図９】
0003158410.tif 000011